(57)【要約】【課題】良好な３次元映像を表示することのできる映像処理装置及び映像処理方法の提供。【解決手段】実施形態の映像処理装置は、入力手段と、表示制御手段とを備える。ここで、入力手段には、左目用画像と右目用画像とを含むフレームが入力される。そして、表示制御手段は、入力された前記左目用画像を含み、当該左目用画像の周辺の画像の少なくとも一部を除く第２の左目用画像と、入力された前記右目用画像を含み、当該右目用画像の周辺の画像の少なくとも一部を除いた第２の右目用画像とを、表示装置の画面の解像度に対応する解像度で前記表示装置に表示させる。【選択図】  図３
2012029236.tif 000002
【特許請求の範囲】
【請求項１】
左目用画像と右目用画像とを含むフレームが入力される入力手段と、
入力された前記左目用画像を含み、当該左目用画像の周辺の画像の少なくとも一部を除く第２の左目用画像と、入力された前記右目用画像を含み、当該右目用画像の周辺の画像の少なくとも一部を除いた第２の右目用画像とを、表示装置の画面の解像度に対応する解像度で前記表示装置に表示させる表示制御手段と
を備える映像処理装置。
【請求項２】
前記表示制御手段は、
前記入力手段に入力された前記左目用画像と前記右目用画像とを分離させる分離手段と、
分離された前記左目用画像を含む前記画像から前記第２の左目用画像を切り取り、分離された前記右目用画像を含む前記画像から、前記第２の左目用画像を切り取った位置に対応する位置で前記第２の右目用画像を切り取る第１の切り取り手段と、
切り取られた前記第２の左目用画像及び前記第２の右目用画像の夫々の解像度を、前記表示装置の画面解像度に対応する解像度にする高解像度手段と
を含む、請求項１記載の映像処理装置。
【請求項３】
前記表示制御手段は、
前記入力手段に入力された前記フレームから、前記左目用画像を含む第１の画像と前記右目用画像を含む第２の画像とを分離させる分離手段と、
分離された前記第１の画像から前記第２の左目用画像を切り取り、分離された前記第２の画像から前記第２の右目用画像を切り取る切り取り手段と、
切り取られた前記第２の左目用画像及び前記第２の右目用画像の夫々の解像度を、前記表示装置の表示画面の解像度に対応する解像度にする高解像度化手段と
を含み、
前記切り取り手段は、前記右目用画像及び前記左目用画像のうち一方の画像を切り取った位置に対応する位置で他方の画像を切り取る、請求項１記載の映像処理装置。
【請求項４】
前記表示制御手段は、
前記入力手段に入力された前記フレームから、前記左目用画像と前記右目用画像とを含む第１の画像を切り取る第１の切り取り手段と、
切り取られた前記第１の画像を、前記左目用画像を含む第２の画像と前記右目用画像を含む第３の画像とに分離させる分離手段と、
分離された前記第２の画像から、前記第１の切り取り手段が前記第１の画像を切り取った位置に応じた位置で前記第２の左目用画像を切り取り、分離された前記第３の画像から、前記第１の切り取り手段が前記画像を切り取った位置に応じた位置で前記第２の右目用画像を切り取る第２の切り取り手段と、
切り取られた前記第２の左目用画像及び前記第２の右目用画像の夫々の解像度を、前記表示装置の表示画面の解像度に対応する解像度にする高解像度化手段と
を含む、請求項１記載の映像処理装置。
【請求項５】
前記第２の左目用画像の左端と前記フレームの左端との間の長さは、前記第２の右目用画像の左端と前記フレームの中心との間の長さと一致し、前記第２の左目用画像の右端と前記フレームの中心との間の長さは、前記第２の右目用画像の右端と前記フレームの右端との間の長さと一致する、請求項１記載の映像処理装置。
【請求項６】
前記第２の左目用画像の上端と前記フレームの上端との間の長さは、前記第２の右目用画像の左端と前記フレームの中心との間の長さと一致し、前記第２の左目用画像の下端と前記フレームの中心との間の長さは、前記第２の右目用画像の下端と前記フレームの下端との間の長さと一致する、請求項１記載の映像処理装置。
【請求項７】
操作入力を受け付ける受付手段を更に備え、
前記第１の切り取り手段は、前記第２の左目用画像及び前記第２の右目用画像を、前記操作入力に応じた解像度で切り取る、請求項２記載の映像処理装置。
【請求項８】
画像を表示する表示装置を更に備える、請求項１記載の映像処理装置。
【請求項９】
左目用画像と右目用画像とを含むフレームが入力されることと、
入力された前記左目用画像を含み、当該左目用画像の周辺の画像の少なくとも一部を除く第２の左目用画像と、入力された前記右目用画像を含み、当該右目用画像の周辺の画像の少なくとも一部を除いた第２の右目用画像とを、表示装置の画面の解像度に対応する解像度で前記表示装置に表示させることと
を備える映像処理方法。
【発明の詳細な説明】
【技術分野】
【０００１】
本発明の実施形態は映像処理装置及び映像処理方法に関する。
【背景技術】
【０００２】
右目用画像と左目用画像とを交互に表示することにより、３次元の映像をユーザに提示する表示装置技術がある。ここで当該表示装置は、例えば右目用画像と左目用画像との両方を１つのフレームに含めた入力形式により３次元用の映像を入力する場合がある。この入力形式の例としては、右目／左目用画像を左右に並べたＳｉｄｅ−ｂｙ−Ｓｉｄｅ形式や、画像を上下に並べたＴｏｐ−ａｎｄ−Ｂｏｔｔｏｍ形式等が挙げられる。そして表示装置は、入力されたフレームから右目用画像と左目用画像とを分離して、これら右目／左目用画像を表示装置の画面解像度に対応した解像度に変換したのち画面に出力する。
【０００３】
また、表示装置に２次元用の映像が入力された場合に、高画質化処理エンジンによりオーバースキャンを行ってディスプレイに表示する技術がある。このとき表示装置は、入力された映像のフレームから所定のサイズの画像を切り取った後ディスプレイのサイズに対応するよう拡大し、当該拡大した画像をディスプレイに表示する。
【先行技術文献】
【特許文献】
【０００４】
【特許文献１】特開２００９−１５２８９７号公報
【発明の概要】
【発明が解決しようとする課題】
【０００５】
ところで、３次元用映像に対してオーバースキャンを行う場合、フレームからの画像の切り取りによって左目用画像と右目用画像との視差が本来の視差から変わり、良好な３次元画像を表示できない恐れがある。
【０００６】
そこで本発明の実施形態は、良好な３次元映像を表示することのできる映像処理装置及び映像処理方法の提供を目的とする。
【課題を解決するための手段】
【０００７】
実施形態の映像処理装置は、入力手段と、表示制御手段とを備える。ここで入力手段には、左目用画像と右目用画像とを含むフレームが入力される。そして表示制御手段は、入力された前記左目用画像を含み、当該左目用画像の周辺の画像の少なくとも一部を除く第２の左目用画像と、入力された前記右目用画像を含み、当該右目用画像の周辺の画像の少なくとも一部を除いた第２の右目用画像とを、表示装置の画面の解像度に対応する解像度で前記表示装置に表示させる。
【図面の簡単な説明】
【０００８】
【図１】第１実施形態に係るテレビ装置の利用形態例を示す図。
【図２】第１実施形態に係るテレビ装置のシステム構成例を示す図。
【図３】第１実施形態に係るテレビ装置の機能ブロック例を示す図。
【図４】第１実施形態に係るテレビ装置に係る、Ｓｉｄｅ−ｂｙ−Ｓｉｄｅ形式の映像データの処理例を示す図。
【図５】第１実施形態に係るテレビ装置に係る、Ｔｏｐ−ａｎｄ−Ｂｏｔｔｏｍ形式の映像データの処理例を示す図。
【図６】第１実施形態に係るテレビ装置に係る、２次元用映像データの処理例を示す図。
【図７】第１実施形態に係るテレビ装置に係る、映像データの処理フロー例を示す図。
【図８】第２実施形態に係るテレビ装置の機能ブロック例を示す図。
【図９】第２実施形態に係るテレビ装置に係る、Ｓｉｄｅ−ｂｙ−Ｓｉｄｅ形式の映像データの処理例を示す図。
【図１０】第２実施形態に係るテレビ装置に係る、Ｔｏｐ−ａｎｄ−Ｂｏｔｔｏｍ形式の映像データの処理例を示す図。
【図１１】第２実施形態に係るテレビ装置に係る、映像データの処理フロー例を示す図。
【発明を実施するための形態】
【０００９】
（第１実施形態）
以下、図面を参照して発明の第１実施形態を説明する。
図１（Ａ）は、本実施形態に係る映像処理装置の利用形態を示す図である。本実施形態に係る映像処理装置は例えばテレビ装置１００として実現されている。
テレビ装置１００は表示部１２１、制御信号送信部１２３等を備え、ユーザに対して２次元映像及び３次元映像を表示する機能を有する。
ここでテレビ装置１００は、表示部１２１に右目用画像と左目用画像とを交互に表示するとともに、シャッター眼鏡２００の右目シャッター２１０及び左目シャッター２２０を開閉させるための信号を制御信号送信部１２３からシャッター眼鏡２００に送信することにより、当該シャッター眼鏡２００を着用したユーザに対して３次元映像を見せることができる。
【００１０】
図１（Ｂ）は、本実施形態のテレビ装置１００による映像処理例を示す図である。
テレビ装置１００には、例えば左目用画像Ｕ１と右目用画像Ｕ２とを含む３次元用映像のフレームＵ３が入力される。そしてテレビ装置１００は、当該画像Ｕ１及びＵ２を、表示部１２１の解像度に対応する解像度に変換した画像Ｕ１１及びＵ２１を、表示部１２１に表示する。
【００１１】
ところで、２次元用映像を表示する一般のテレビ装置は、テレビ放送の映像の端のゆがみやノイズを隠すために、受信したテレビ放送の映像の端部を表示せず、当該端部を除いた映像を表示する場合がある。このため、テレビ放送局は、テレビ装置に表示されない恐れがある上下左右端の部分を見越して、フレームの上下左右端に画像が位置しないように当該画像を配置した２次元用の映像データを放送する。フレームの全領域のうちの画像を収めるべき領域はセーフティゾーンと呼ばれ、ＳＭＰＴＥやＡＲＩＢなどにより、セーフティゾーンの範囲の推奨基準が定められている。
【００１２】
そして、３次元用の映像データが放送される際にも、図１（Ｂ）に示すように、左目用画像Ｕ１及び右目用画像Ｕ２の周りに領域Ｕ４を設け、フレームＵ３の上下左右端に左目用画像及び右目用画像が位置しないように設定されることが考えられる。この場合、テレビ装置１００は、領域Ｕ４を除いた左目用画像と右目用画像とを夫々表示できることが好ましい。
【００１３】
また、領域Ｕ４が設けられず、フレームＵ３の左半分の全面に左目用画像が、フレームＵ３の右半分の全面に右目用画像が配置されている場合であっても、ユーザによる画面表示モード選択などにより、フレームに含まれる左目用画像と右目用画像との夫々の中央部を拡大してディスプレイにズーム表示するように設定される場合がある。
【００１４】
そしてこれらの場合、テレビ装置１００は、フレームに含まれる左目用画像と右目用画像との間の視差と略同一の視差を有する左目用画像と右目用画像とを表示画面に表示できることが好ましい。
【００１５】
これに対し本実施形態に係るテレビ装置１００は、周辺領域が設けられた３次元用映像データのフレームに含まれる左目用画像と右目用画像とを好適に表示することができるものであるが、詳細については図２乃至図１１を参照して後述する。
【００１６】
次に図２を参照して、テレビ装置１００のシステム構成例を説明する。
テレビ装置１００は、受信部１０１、ＯＤＤ１０２、記憶部１０３、映像入力部１０４、再生制御部１０５、操作受付部１０６、映像処理部１１０、表示処理部１２０、表示部１２１、シャッター眼鏡制御部１２２、制御信号送信部１２３等を備える。
【００１７】
受信部１０１は、テレビ放送波に重畳された映像データを受信するチューナや、ネットワークを介してＩＰテレビコンテンツの映像データを受信する通信部等として機能し、ＣＡＴＶやＢＳデジタルなどで放送されている３Ｄ放送を受信する。そして受信した映像データは映像入力部１０４に出力される。
【００１８】
ＯＤＤ１０２は、光学ディスクに記録された映像データを読込む機能を有し、当該読込んだ映像データを映像入力部１０４に出力する。記憶部１０３は、ＨＤＤやメモリ等の記憶装置であり、受信部１０１で受信した映像データを記憶し、再生制御部１０５からの指示に応じて当該記憶した映像データを映像入力部１０４に出力する機能を有する。
【００１９】
映像入力部１０４は、受信部１０１、ＯＤＤ１０２及び記憶部１０３等からの映像データが入力されるモジュールである。また映像入力部１０４には、テレビ装置１００の外部の装置から映像データが入力されてもよく、例えばＨＤＭＩ等のインタフェースにより映像データが入力される。
【００２０】
再生制御部１０５は、テレビ装置１００における映像の再生に係る処理を行う。再生制御部１０５は、受信部１０１、ＯＤＤ１０２及び記憶部１０３の何れのモジュールから映像データを入力するかを、操作入力部１０５が受け付けたユーザ操作入力等に応じて決定し、当該決定したモジュールから映像入力部１０４を介して映像データを入力して映像処理部１１０に出力する。
【００２１】
また再生制御部１０５は、入力された映像データの形式を判別する。即ち再生制御部１０５は、入力された映像データが２次元用であるか３次元用であるか、また３次元用である場合、Ｓｉｄｅ−ｂｙ−Ｓｉｄｅ、Ｔｏｐ−ａｎｄ−Ｂｏｔｔｏｍ及びＦｌａｍｅ  Ｐａｃｋｉｎｇ等の形式のうち何れの形式であるかを判別する。このとき再生制御部１０５は、映像データが入力される際に、当該映像データを出力したモジュールから、当該映像データの形式についての通知を受けて、当該通知に基づいて判別する。あるいは再生制御部１０５は、映像データを解析することや、ユーザの操作を受け付けることにより、入力された映像データの形式を判別する。
【００２２】
さらに再生制御部１０５は、フレームから切り取る画像の範囲、即ち位置及びサイズ（解像度）を決定し、当該決定した範囲に応じた画像の切り取りを映像処理部１１０に指示する。ここで再生制御部１０５は、切り取り位置及びサイズを例えばデフォルトで決定していても良いし、あるいは操作受付部１０６からの通知に応じて決定してもよい。なお切り取り範囲の詳細については図４及び５を参照して後述する。
【００２３】
操作受付部１０６は、ユーザからの操作入力を受け付ける。ここで操作受付部１０６は、受信部１０１、ＯＤＤ１０２、及び記憶部１０３のうち何れのモジュールから映像を入力／再生するかを決定する操作入力や、再生する映像データのフレームに含まれる画像のうち、表示部１２１に表示する画像の範囲を決定する操作入力等を受ける。なお、表示する画像の範囲を決定する操作入力とは、例えば映像をオーバースキャンして表示するか否かについての操作入力や、オーバースキャンする場合にどの程度オーバースキャンするかについての操作入力等である。
【００２４】
そして操作受付部１０６は、何れのモジュールからの映像を再生するかについての操作入力を受けた場合、当該操作入力に対応する通知を再生制御部１０５に指示する。また操作受付部１０６は、再生する映像データのフレームに含まれる画像のうち表示する画像の範囲についての操作入力を受けた場合、当該操作に応じた通知を映像処理部１１０に出力する。
【００２５】
映像処理部１１０は、再生制御部１０５から入力された映像データに対して、各種の映像処理を行う。ここで映像処理部１１０は、３次元用映像データのフレームに含まれる左目用画像と右目用画像とを分離する機能、分離した右目用画像及び左目用画像の夫々を再生制御部１０５からの指示に応じた所定の範囲で切り取る機能、切り取った画像を表示部１２１の画面サイズ（解像度）に対応するように拡大する機能等を有する。なお映像処理部１１０の詳細な機能については、図３を参照して後述する。
【００２６】
表示処理部１２０は、映像処理部１１０から入力された映像データをディスプレイ表示用の信号に変換する機能を有する。そして表示処理部１２０は、当該信号を表示部１２１に出力し、表示部１２１は当該信号に基づいた映像を表示する。また表示処理部１２０は、表示部１２１に３次元映像を出力している際、シャッター眼鏡制御部１２２に対してシャッター眼鏡２００のシャッター開閉指示を出力する。
【００２７】
なお表示処理部１２０は、現在出力中の画像が左目用画像である場合、左目シャッターを開き右目シャッターを閉じる指示を、出力中の画像が右目用画像である場合、右目シャッターを開き左目シャッターを閉じる指示をシャッター眼鏡制御部１２２に出力する。
【００２８】
シャッター眼鏡制御部１２２は、表示処理部１２０から入力されるシャッター開閉指示をシャッター眼鏡用の信号に変換して制御信号送信部１２３に出力する。そして制御信号送信部１２４は、シャッター眼鏡制御部１２２から入力された信号を例えば赤外線通信や無線通信等によりシャッター眼鏡２００に出力する。
【００２９】
次に図３を参照して、映像処理部１１０の機能例を説明する。図３は、映像処理部１１０の機能ブロック例を示す図である。ここで映像処理部１１０は、Ｌ／Ｒ画像分離部１１１、切り取り部１１２、高解像度化部１１３等を備える。
【００３０】
Ｌ／Ｒ画像分離部１１１は、映像データの形式等についての通知を再生制御部１０５から受け、入力されている映像データが３次元用の映像データである場合、当該３次元用の映像データのフレームに含まれる画像を左と右との２つに分割することにより、当該フレームに含まれる画像のうち、右目用画像を含む画像と左目用画像を含む画像とを分離する。
【００３１】
そしてＬ／Ｒ画像分離部１１１は、当該分割した画像の夫々を、切り取り部１１２に出力する。ここでＬ／Ｒ画像分離部１１１は、フレームに含まれる画像を分割した後、例えば右目用画像が含まれる画像データと左目用画像が含まれる画像データとを交互に切り取り部１１２に出力する。
【００３２】
また、Ｌ／Ｒ画像分離部１１１は、入力された３次元用映像データのフレームレートを変換する機能も有する。つまり、左目用画像と右目用画像とを含むフレームが、例えば６０Ｈｚで入力された場合、当該フレームから分割した画像を、切り取り部１１２に対して１２０Ｈｚで出力する。
【００３３】
なおＬ／Ｒ画像分離部１１１は、入力された映像データが２次元用の映像データである場合、当該映像データの画像を分離することなく切り取り部１１２に出力する。
【００３４】
切り取り部１１２は、入力された画像から所定の範囲の画像を切り取る。なお、ここで切り取り部１１２には、再生制御部１０５から切り取り範囲についての指示が入力され、当該指示に応じた範囲の画像を切り取る。そして切り取り部１１２は、切り取った画像を高解像度化部１１３に出力する。
【００３５】
高解像度化部１１３は、切り取り部１１２から入力された画像を高解像度化する。つまり高解像度化部１１３は、入力された画像のサイズ（解像度）を、表示部１２１の画面サイズ（解像度）に対応するサイズに拡大する。また高解像度化部１１３は、画像を拡大するとともに、画像を高画質化する高画質化処理も行う。そして高解像度化部１１３は、高解像度化した画像のデータを表示処理部１２０に出力する。
【００３６】
次に図４及び図５を参照して、映像処理部１１０に３次元映像データが入力された場合の処理例について説明する。
まず図４を参照して、映像処理部１１０に、Ｓｉｄｅ−ｂｙ−Ｓｉｄｅ形式の３次元映像データが入力された場合の処理例を説明する。
ここで図４（Ａ）に示すフレームＡ１は、Ｌ／Ｒ画像分離部１１１に入力されたＳｉｄｅ−ｂｙ−Ｓｉｄｅ形式のフレームの一例である。フレームＡ１には左目用画像Ａ３及び右目用画像Ａ４が含まれる。そして左目用画像Ａ３及び右目用画像Ａ４の周囲には、当該画像Ａ３及びＡ４とは異なる画像Ａ５がある。ここで左目用画像Ａ３及び右目用画像Ａ４には、テレビ放送等の動画像の為の画像が配置される。
【００３７】
そして左目用画像Ａ３及び右目用画像Ａ４は、フレームＡ１の端から一定距離に位置している。また当該画像Ａ３及びＡ４は、フレームＡ１の中心を通る中心線Ｂ１からも一定距離の位置に位置している。
【００３８】
ここで左目用画像Ａ３の上端とフレームＡ１の上端とは距離Ｔ１離れている。そして、左目用画像Ａ３の左端とフレームＡ１の左端とは距離Ｔ２、左目用画像Ａ３の下端とフレームＡ１の下端とは距離Ｔ３、左目用画像Ａ３の右端と中心線Ｂ１とは距離Ｔ４離れている。そして、距離Ｔ１及びＴ３の長さは、例えばフレームＡ１の上端と下端との距離Ｔ５の長さの一定割合分の長さであり、同様に距離Ｔ２及びＴ４の長さは、フレームＡ１の左端と中心線Ｂ１との距離Ｔ６の長さの一定割合である。あるいはＴ１乃至Ｔ４の長さは、例えば一定数の画素の長さであってもよい。
【００３９】
なおここでは左目用画像Ａ３の位置について説明したが、右目用画像Ａ４の位置についても左目用画像Ａ３の場合と同様である。即ち右目用画像Ａ４は、フレームＡ１の端から一定画素数分の距離、又はフレームＡ１の長さの一定割合分の距離に位置している。
【００４０】
ここでＬ／Ｒ画像分離部１１１は、映像データのフレームＡ１が入力されると、当該フレームＡ１を中心線Ｂ１で分割して、左目用画像を含む画像と右目用画像を含む画像とを分離する。
【００４１】
図４（Ｂ）に示す画像Ａ２１及び画像Ａ２２は、Ｌ／Ｒ画像分離部１１１により分離された画像の一例である。ここで画像Ａ２１には左目用画像Ａ３が、画像Ａ２２には右目用画像Ａ４が含まれる。また左目用画像Ａ３の周りには画像Ａ５１が、右目用画像Ａ４の周りには画像Ａ５２がある。そして画像Ａ２１及びＡ２２は、切り取り部１１２に入力される。
【００４２】
切り取り部１１２は、再生制御部１０５からの指示に基づいた範囲で、画像Ａ２１及びＡ２２から左目用画像と右目用画像とを切り取る。なおここで範囲とは、位置及びサイズ（解像度）等を指す。つまり切り取り部１１２は、例えば再生制御部１０５から、画像の切り取りサイズを、当該切り取り部１１２に入力されたフレームに含まれた元々の画像である左目用画像Ａ３及び右目用画像Ａ４のサイズに対応させる指示を受けている場合、左目用画像Ａ３及び右目用画像Ａ４のサイズ（解像度）と略一致するサイズのＣ２で左目用画像及び右目用画像を切り取る。
【００４３】
さらにここで切り取り部１１２は、Ｃ２で左目用画像及び右目用画像を切り取る場合、入力されたフレームに含まれる左目用画像Ａ３と右目用画像Ａ４との視差を保つことができる位置で左目用画像及び右目用画像を切り取る。つまり、Ｃ２の上端とフレームＡ２１の上端との距離をＵ１、Ｃ２の左端とフレームＡ２１の左端との距離をＵ２、Ｃ２の下端とフレームＡ２１の下端との距離をＵ３、Ｃ２の右端とフレームＡ２１の右端との距離をＵ４、Ｃ２の上端とフレームＡ２２の上端との距離をＵ５、Ｃ２の左端とフレームＡ２２の左端との距離をＵ６、Ｃ２の下端とフレームＡ２２の下端との距離をＵ７、Ｃ２の右端とフレームＡ２２の右端との距離をＵ８とすると、Ｕ１及びＵ５の長さ、Ｕ２及びＵ６の長さ、Ｕ３及びＵ７の長さ、Ｕ４及びＵ８の長さが一致するように画像を切り取る。
【００４４】
また、切り取る画像のサイズを左目用画像Ａ３及び右目用画像Ａ４のサイズよりも大きなサイズとする指示を受けている場合、Ｃ１で左目用画像及び右目用画像を切り取る。また、切り取る画像のサイズを左目用画像Ａ３及び右目用画像Ａ４のサイズよりも小さなサイズとする指示、即ち入力された画像の一部を拡大して表示画面にズーム表示する指示を受けている場合、Ｃ３で左目用画像及び右目用画像を切り取る。なおＣ１及びＣ３は、Ｃ２と同様に、切り取った画像の視差が元の画像の視差を保つことができる位置及びサイズである。
【００４５】
なお図４（Ｃ）は、画像Ａ２１及びＡ２２から、Ｃ２の線に沿って切り取った左目用画像Ａ３１と右目用画像Ａ４１とを示す図である。
そして切り取り部１１２は、画像Ａ２１及びＡ２２から左目用画像Ａ３１と右目用画像Ａ４１とを切り取った後、切り取った画像を高解像度化部１１３に出力する。そして高解像度化部１１３は、入力された左目用画像Ａ３１及び右目用画像Ａ４１のサイズ（解像度）を表示部１２１の画面サイズ（画面解像度）に対応するように、これら画像を高解像度化して図４（Ｄ）に示す左目用画像Ａ３２及び右目用画像Ａ４２を生成する。
【００４６】
図４の処理例によれば、テレビ装置１００は、入力された左目用画像Ａ３の周辺にある画像Ａ５の少なくとも一部を除いた左目用画像Ａ３１と、入力された右目用画像Ａ４の周辺にある画像Ａ５の少なくとも一部を除いた右目用画像Ａ４２とを表示装置の表示画面のサイズ（解像度）に対応するサイズで前記表示装置に表示することができる。
【００４７】
また、切り取り部１１２は、右目用画像及び左目用画像のうち一方の画像を切り取る位置に対応する位置で他方の画像を切り取るため、切り取った右目用画像と左目用画像との間の視差が、切り取る前の画像の視差からずれることを抑制できる。
【００４８】
なお図４においては、左目用画像Ａ３と右目用画像Ａ４とが、フレームＡ１の端部から離れた領域に位置している場合の処理例について説明したが、当該処理例は、フレームの左半分の全面に左目用画像が、フレームの右半分の全面に右目用画像が配置されている場合にも適用できる。つまり、フレームに含まれる左目用画像の端部を除く画像と、右目用画像の端部を除く画像とを、切り取る位置及びサイズを対応させて切り取り、切り取った夫々の画像を表示画面の解像度に対応する解像度で表示部１２１に表示することができる。
【００４９】
続いて図５を参照して、映像処理部１１０に、Ｔｏｐ−ａｎｄ−Ｂｏｔｔｏｍ形式の３次元映像データが入力された場合の処理例を説明する。
図５（Ａ）に示すフレームＤ１は、Ｌ／Ｒ画像分離部１１１に入力されたＴｏｐ−ａｎｄ−Ｂｏｔｔｏｍ形式のフレームの例である。ここでフレームＤ１には左目用画像Ｄ３及び右目用画像Ｄ４が含まれる。そして左目用画像Ｄ３及び右目画像Ｄ４の周りには画像Ｄ５が存在する。なお左目用画像Ｄ３及び右目用画像Ｄ４は、図４にて説明したＳｉｄｅ−ｂｙ−Ｓｉｄｅ形式の場合と同様に、フレームＤ１の端及びフレームＤ１の中心を通る中心線Ｅ１から所定の距離に位置している。
【００５０】
ここで、これら左目用画像Ｄ３及び右目用画像Ｄ４の、フレームＤ１の端や中心線Ｅ１からの距離は、例えばフレームＤ１の縦横の長さの一定の割合となっている。あるいは画像Ｄ３及びＤ４の、フレームＤ１の端や中心線Ｅ１からの距離は、例えば一定の画素数分であっても良い。
【００５１】
図５（Ｂ）に示す画像Ｄ２１とＤ２２とは、Ｌ／Ｒ画像分離部１１１により分割された画像を示す図である。なお画像Ｄ２１には左目用画像Ｄ３が、画像Ｄ２２には右目用画像Ｄ４が含まれる。また左目用画像Ｄ３の周りには画像Ｄ５１が、右目用画像Ｄ４の周りにはＤ５２が位置している。そして画像Ｄ２１及びＤ２２は、切り取り部１１２に入力される。
【００５２】
ここで切り取り部１１２は、再生制御部１０５からの指示に基づいた位置及びサイズ（解像度）で、画像Ｄ２１及びＤ２２から左目用画像と右目用画像とを切り取る。つまり切り取り部１１２は、再生制御部１０５から、切り取る画像のサイズを左目用画像Ｄ３及び右目用画像Ｄ４のサイズよりも大きなサイズとする指示を受けている場合はＦ１で、切り取る画像のサイズを左目用画像Ｄ３及び右目用画像Ｄ４のサイズに対応させる指示を受けている場合はＦ２で、切り取る画像のサイズを左目用画像Ｄ３及び右目用画像Ｄ４のサイズよりも小さなサイズとする指示、即ち入力された画像の一部を拡大して表示画面にズーム表示する指示を受けている場合はＦ３で、左目用画像及び右目用画像を切り取る。
【００５３】
なお、図４でも説明したように切り取り部１１２は、切り取った画像の視差が、切り取り部１１２に入力された元の画像の視差を保つことができる位置及びサイズで左目用画像と右目用画像とを切り取る。即ち、例えばＦ２で画像を切り取る場合に、Ｆ２の上端とフレームＤ２１の上端との距離をＶ１、Ｆ２の左端とフレームＤ２１の左端との距離をＶ２、Ｆ２の下端とフレームＤ２１の下端との距離をＶ３、Ｆ２の右端とフレームＤ２１の右端との距離をＶ４、Ｆ２の上端とフレームＤ２２の上端との距離をＶ５、Ｆ２の左端とフレームＤ２２の左端との距離をＶ６、Ｆ２の下端とフレームＤ２２の下端との距離をＶ７、Ｆ２の右端とフレームＤ２２の右端との距離をＶ８とすると、Ｖ１及びＶ５の長さ、Ｖ２及びＶ６の長さ、Ｖ３及びＶ７の長さ、Ｖ４及びＶ８の長さが一致するように左目用画像及び右目用画像を切り取る。
【００５４】
図５（Ｃ）は、画像Ｄ２１及びＤ２２から、Ｄ３の線に沿って切り取った左目用画像Ｄ３１と右目用画像Ｄ４１とを示す図である。切り取り部１１２は、画像Ｄ２１及びＤ２２から左目用画像Ｄ３１と右目用画像Ｄ４１とを切り取った後、切り取った画像を高解像度化部１１３に出力する。そして高解像度化部１１３は、入力された左目用画像Ｄ３１及び右目用画像Ｄ４１のサイズ（解像度）を表示部１２１の画面サイズ（画面解像度）に対応するように、これら画像を高解像度化し、表示処理部１２０に出力する。
【００５５】
図４及び図５に示した処理例によれば、本実施形態のテレビ装置１００は、左部分の画像と右部分の画像とを分割した後、左目用画像Ａ３と右目用画像Ａ４とを所定の範囲で切り取り、切り取った画像を表示画面のサイズに合わせて表示することができる。これによりテレビ装置１００は、３次元用映像データの画像をオーバースキャンしてズーム表示することが可能である。
【００５６】
さらに本実施形態のテレビ装置１００は、左目用画像と右目用画像とを、当該左目用画像と右目用画像とを表示部１２１に表示した際のこれら画像の位置関係が対応し、元の映像データのフレームに含まれる右目用と左目用の画像とが有する視差を保つように切り取ることができる。そのため、左目用画像と右目用画像との視差を変えることなくオーバースキャンすることができる。
【００５７】
次に図６を参照して、２次元映像データが入力された際の映像処理部１１０の処理例を説明する。
図６（Ａ）に示すフレームＧ１は、Ｌ／Ｒ画像分離部１１１に入力された２次元用映像データのフレームの例である。ここでフレームＧ１には２次元用画像Ｇ３が含まれている。また画像Ｇ３の周りには画像Ｇ４がある。そして画像Ｇ３は、フレームＤ１の端から、例えばフレームＤ１の縦横の長さの一定の割合の距離に位置している。あるいは画像Ｇ３は、フレームＤ１の端から例えば一定の画素数分の距離に位置していても良い。そしてフレームＧ１は、切り取り部１１２に出力される。
【００５８】
ここで切り取り部１１２は、再生制御部１０５からの指示に基づいた位置及びサイズ（解像度）で、フレームＧ１から２次元用画像を切り取る。つまり切り取り部１１２は、再生制御部１０５から、画像の切り取りサイズを、当該切り取り部１１２に入力されたフレームＧ１に含まれた元々の画像である２次元用画像Ｇ３のサイズよりも大きなサイズとする指示を受けている場合はＨ１で、画像の切り取りサイズを２次元用画像Ｇ３のサイズに対応させる指示を受けている場合はＨ２で、即ち入力された画像の一部を拡大して表示画面にズーム表示する指示を受けている場合はＨ３で、２次元用画像を切り取る。なお図６（Ｂ）は、フレームＧ１から、Ｈ２の線に沿って切り取った２次元用画像Ｇ３１を示す図である。
【００５９】
そして切り取り部１１２は、フレームＧ１から２次元用画像Ｇ３１を切り取った後、切り取った画像を高解像度化部１１３に出力する。そして高解像度化部１１３は、入力された２次元用画像Ｇ３１のサイズ（解像度）を、表示部１２１の画面サイズ（画面解像度）に対応するように高解像度化し、図６（Ｃ）に示す２次元用画像Ｇ３２を生成する。
【００６０】
次に図７を参照して、テレビ装置１００による２次元用あるいは３次元用画像の表示に係る処理フロー例を説明する。
まず再生制御部１０５に映像データが入力される（Ｓ７０１）。そして再生制御部１０５は、当該映像データの形式を判別し、判別結果を示す通知をＬ／Ｒ画像分離部１１１に出力する（Ｓ７０２）。
【００６１】
Ｌ／Ｒ画像分離部１１１は、映像データが３次元用であるとの通知を受けた場合（Ｓ７０２のＹｅｓ）であって、また映像データがＳｉｄｅ−ｂｙ−Ｓｉｄｅ又はＴｏｐ−ａｎｄ−Ｂｏｔｔｏｍ方式である場合（Ｓ７０３のＹｅｓ）、入力されたフレームに含まれる画像を分割して、左目用画像と右目用画像とを分離させる（Ｓ７０４）。そして分割された夫々の画像は、切り取り部１１２に出力される。一方、Ｓ７０３において映像データがＳｉｄｅ−ｂｙ−Ｓｉｄｅ及びＴｏｐ−ａｎｄ−Ｂｏｔｔｏｍのどちらの方式でもない場合（Ｓ７０３のＮｏ）、例えばＦｒａｍｅ  Ｐａｃｋｉｎｇ形式による３次元用映像である場合、Ｌ／Ｒ画像分離部１１１は、入力されたフレームの画像を分割することなく切り取り部１１２に出力する。
【００６２】
画像が入力されると切り取り部１１２は、当該入力された画像から、再生制御部１０５からの指示に基づいたサイズ（解像度）及び位置で左目用画像と右目用画像とを切り取り（Ｓ７０５）、切り取られた左目用画像と右目用画像とは、夫々高解像度化部１１３に出力される。なお切り取り部１１２は、再生制御部１０５から、入力された画像をオーバースキャンしない指示を受けている場合、左目用画像と右目用画像とを切り取らずに高解像度化部１１３に出力してもよい。
【００６３】
そして高解像度化部１１３は、入力された画像を拡大して高解像度化し（Ｓ７０６）、表示処理部１２０に出力する（Ｓ７０７）。なおここで高解像度化部１１３は、例えばＦｒａｍｅ  Ｐａｃｋｉｎｇ形式の映像データが入力された場合、入力された画像を拡大することなく表示処理部１２０に出力してもよい。
【００６４】
そしてこのとき高解像度化部１１３は、左目用画像と右目用画像とを交互に表示処理部１２０に出力し、表示処理部１２０はこれら画像の映像信号を表示部１２１に出力する。そして表示部１２１は、交互に入力される左目用画像の映像信号と右目用画像の映像信号とに基づいた映像を表示することにより、３次元の映像を表示する。
【００６５】
一方、Ｓ７０２において、映像データが２次元用であるとの通知を受けた場合（Ｓ７０２のＮｏ）、Ｌ／Ｒ画像分離部１１１は、当該映像データのフレームを分離することなく切り取り部１１２に出力する。そして切り取り部１１２はフレームから２次元用の画像を切り取り（Ｓ７０８）、当該切り取った画像を高解像度化部１１３に出力する。
【００６６】
高解像度化部１１３は、入力された画像のサイズ（解像度）を、表示部１２１の画面サイズに対応するよう拡大して（Ｓ７０９）、拡大した画像を表示処理部１２０に出力する（Ｓ７１０）。そして表示処理部１２０は、入力された画像の映像信号を生成して表示部１２１に出力し、表示部１２１は、入力された映像信号に基づいた２次元映像を表示する。
【００６７】
（第２実施形態）
次に図８乃至図１１を参照して、第２実施形態を説明する。第２実施形態に係る映像処理装置は、映像処理部３１０を備えるテレビ装置３００（不図示）として実現される。なお、第２実施形態に係るテレビ装置３００は第１実施形態に係るテレビ装置１００と同様の構成を持つため、ここでは第１実施形態と異なる動作を行う構成を中心に説明する。
【００６８】
図８は、第２実施形態に係るテレビ装置３００が有する映像処理部３１０の機能ブロック例を示す図である。
映像処理部３１０は、再生制御部１０５、第１切り取り部３１１、Ｌ／Ｒ画像分離部３１２、第２切り取り部３１３、高解像度化部３１４等を備える。
再生制御部１０５は、フレームから切り取る画像の範囲、即ち位置及びサイズ（解像度）を決定し、当該決定した範囲に応じた切り取りを第１切り取り部３１１及び第２切り取り部３１３に指示する。ここで再生制御部１０５は、切り取り位置及びサイズを例えばデフォルトで決定していても良いし、あるいは操作受付部１０６からの通知に応じて決定してもよい。
【００６９】
また再生制御部１０５は、３次元用映像データが第１切り取り部３１１に入力されている場合、第１切り取り部３１１により切り取られる画像の位置及びサイズ（解像度）に対応するように、第２切り取り部３１３に対して切り取り位置及びサイズを指示する。なお切り取り範囲の詳細については図９及び図１０を参照して後述する。
【００７０】
第１切り取り部３１１は、再生制御部１０５から入力される映像データのフレームから画像を切り取る機能を有する。ここで第１切り取り部３１１に２次元用映像データのフレームが入力された場合、当該第１切り取り部３１１は、図６にて説明した切り取り部１１２による処理と同様の処理を行う。そして第１切り取り部３１１は、３次元用映像データのフレームが入力された場合、図６にて説明した切り取り部１１２による処理とは異なる切り取り処理を行うが、当該処理については図９及び図１０を参照して後述する。
【００７１】
また第１切り取り部３１１には、再生制御部１０５から、映像データのフレームとともに当該映像データが２次元用であるか３次元用であるかを示す通知が入力される。そして第１切り取り部３１１は、３次元用の映像データが入力されている場合、切り取った画像をＬ／Ｒ画像分離部３１２に出力する。また第１切り取り部３１１は、２次元用の映像データが入力されている場合、切り取った画像を高解像度化部３１４に出力する。
【００７２】
Ｌ／Ｒ画像分離部３１２は、入力された映像データのフレームに含まれる画像を２つに分割することにより、当該画像に含まれる右目用画像と左目用画像とを分離する。そしてＬ／Ｒ画像分離部３１２は、当該分割した画像の夫々を、第２切り取り部３１３に出力する。なお、ここでＬ／Ｒ画像分離部３１２は、画像を分割した後、例えば右目用画像が含まれる画像と、左目用画像が含まれる画像とを交互に第２切り取り部３１３に出力する。
【００７３】
第２切り取り部３１３は、左目用画像を含む画像と右目用画像を含む画像とから、左目用画像と右目用画像とを切り取る機能を有する。ここで第２切り取り部３１３は、再生制御部１０５からの指示に基づいた範囲で左目用画像及び右目用画像を切り取る。なお第２切り取り部３１３の処理の詳細については図９及び図１０を参照して後述する。そして第２切り取り部３１３は、切り取った左目用画像及び右目用画像を高解像度化部３１４に出力する。
【００７４】
高解像度化部３１４は、第１切り取り部３１１又は第２切り取り部３１３から入力された画像を高解像度化する。ここで高解像度化部３１４は、入力された画像のサイズ（解像度）を、表示部１２１の画面サイズ（解像度）に対応するサイズに拡大する。そして高解像度化部３１４は、高解像度化した画像を表示処理部１２０に出力する。
【００７５】
次に図９及び図１０を参照して、３次元用映像データが入力された場合の、第１切り取り部３１１、Ｌ／Ｒ画像分離部３１２及び第２切り取り部３１３による処理例を説明する。
【００７６】
図９は、第１切り取り部３１１にＳｉｄｅ−ｂｙ−Ｓｉｄｅ形式のフレームが入力された場合の、第１切り取り部３１１、Ｌ／Ｒ画像分離部３１２及び第２切り取り部３１３による処理例を示す図である。
【００７７】
図９（Ａ）に示すフレームＪ１は、第１切り取り部３１１に入力されるＳｉｄｅ−ｂｙ−Ｓｉｄｅ形式のフレームの一例である。第１切り取り部３１１は、左目用画像Ｊ３、右目用画像Ｊ４及び画像Ｊ５を含む画像Ｊ２についてのフレームＪ１が入力されると、再生制御部１０５から指示に基づいた範囲で、フレームＪ１の画像Ｊ２から左目用画像と右目用画像とを含む画像を切り取る。なおここで範囲とは、位置及びサイズ（解像度）等を指す。
【００７８】
ここで第１切り取り部３１１は、再生制御部１０５から、例えば切り取る画像のサイズ（解像度）を、当該第１切り取り部３１１に入力されたフレームに含まれた元々の画像である左目用画像Ｊ３及び右目用画像Ｊ４のサイズに対応させる指示を受けている場合、Ｌ１で左目用画像と右目用画像とを含む画像を切り取る。なお第１切り取り部３１１は、再生制御部１０５からの指示に応じて、Ｌ１よりも大きいサイズ（解像度）又は小さいサイズで画像を切り取ってもよい。そして第１切り取り部３１１で切り取られた画像は、Ｌ／Ｒ画像分離部３１２に出力される。
【００７９】
図９（Ｂ）に示す画像Ｊ２１は、第１切り取り部３１１により切り取られ、Ｌ／Ｒ画像分離部３１２に出力された画像の一例である。ここで画像Ｊ２１は、左目用画像Ｊ３１、右目用画像Ｊ４１及び画像Ｊ５１を含む。ここでＬ／Ｒ画像分離部３１２は、画像Ｊ２１を、当該画像Ｊ２１の中心を通る中心線Ｋ３で分離させる。そしてＬ／Ｒ画像分離部３１２は、当該分離した画像の夫々を、第２切り取り部３１３に出力する。
【００８０】
図９（Ｃ）に示す画像Ｊ２２及びＪ２３は、Ｌ／Ｒ画像分離部３１２により分離された画像の一例である。画像Ｊ２２は左目用画像Ｊ３１及び画像Ｊ５２を含み、画像Ｊ２３は右目用画像Ｊ４１及び画像Ｊ５３を含む。そして第２切り取り部３１３は、当該画像Ｊ２２から左目用画像Ｊ３１を、画像Ｊ２３から右目用画像Ｊ４１を切り取る。
【００８１】
ここで第２切り取り部３１３は、再生制御部１０５からの指示に基づいたサイズ（解像度）及び位置で、画像Ｊ２２から左目用画像を、画像Ｊ２３から右目用画像を切り取る。第２切り取り部３１３は、再生制御部１０５から、例えば画像の表示サイズを画面サイズに対応させる指示を受けている場合、Ｌ２で左目用画像を、Ｌ３で右目用画像を切り取る。
【００８２】
このとき第２切り取り部３１３は、再生制御部１０５からの指示に基づいて、切り取った左目用画像と右目用画像との視差が、これら画像の元画像の視差と同じになるように画像を切り取る。つまり、第２切り取り部３１３がＬ２及びＬ３で画像を切り取る場合、フレームＪ１の左端と切り取り線Ｌ１の左端との間の距離Ｋ１と、中心線Ｋ３と切り取り線Ｌ２の右端との間の距離Ｋ４を一致させ、また、フレームＪ１の右端と切り取り線Ｌ１の右端との間の距離Ｋ２と、中心線Ｋ３と切り取り線Ｌ２の左端との間の距離Ｋ５を一致させることが好ましい。
【００８３】
第２切り取り部３１３は、再生制御部１０５からの指示に応じて、Ｌ２及びＬ３よりも小さいサイズ（解像度）で画像を切り取ってもよい。
図９の処理例によれば、第２切り取り部３１３は、第１切り取り部３１１が画像Ｊ２１を切り取った位置、即ち画像Ｊ２１の右端とフレームＪ１の右端との間の長さＫ２に応じた位置で、画像Ｊ２２から左目用画像Ｊ３１を切り取る。また第２切り取り部３１３は、第１切り取り部３１１が画像Ｊ２１を切り取った位置、即ち画像Ｊ２１の左端とフレームＪ１の左端との間の長さＫ１に応じた位置で、画像Ｊ２３から右目用画像Ｊ４１を切り取る。これによりテレビ装置３００は、第２切り取り部３１３が切り取った右目用画像と左目用画像との間の視差が、第１切り取り部３１１により切り取られる前の画像の視差からずれることを抑制できる。
【００８４】
続いて図１０を参照して、第１切り取り部３１１にＴｏｐ−ａｎｄ−Ｂｏｔｔｏｍ形式のフレームが入力された場合の、第１切り取り部３１１、Ｌ／Ｒ画像分離部３１２及び第２切り取り部３１３による処理例を説明する。
【００８５】
図１０（Ａ）に示すフレームＭ１は、第１切り取り部３１１に入力されるＴｏｐ−ａｎｄ−Ｂｏｔｔｏｍ形式のフレームの一例である。第１切り取り部３１１は、左目用画像Ｍ３、右目用画像Ｍ４及び画像Ｍ５を含むフレームＭ１が入力されると、再生制御部１０５からの指示に基づいたサイズ（解像度）及び位置で、フレームＭ１から左目用画像と右目用画像とを含む画像を切り取る。
【００８６】
ここで第１切り取り部３１１は、再生制御部１０５から、例えば画像の切り取りサイズを当該第１切り取り部３１１に入力されたフレームに含まれた元々の画像である左目用画像Ｍ３及び右目用画像Ｍ４のサイズに対応させる指示を受けている場合、左目用画像と右目用画像とを含む画像をＮ１に沿って切り取る。なお第１切り取り部３１１は、再生制御部１０５からの指示に応じて、Ｎ１よりも大きいサイズ（解像度）又は小さいサイズで画像を切り取ってもよい。そして第１切り取り部３１１で切り取られた画像は、Ｌ／Ｒ画像分離部３１２に出力される。
【００８７】
図１０（Ｂ）に示す画像Ｍ２１は、第１切り取り部３１１により切り取られ、Ｌ／Ｒ画像分離部３１２に出力された画像の一例である。ここで画像Ｍ２１は、左目用画像Ｍ３１、右目用画像Ｍ４１及び画像Ｍ５１を含む。ここでＬ／Ｒ画像分離部３１２は、画像Ｍ２１を、当該画像Ｍ２１の中心を通る中心線Ｐ３で分離させる。そしてＬ／Ｒ画像分離部３１２は、当該分離した画像の夫々を、第２切り取り部３１３に出力する。
【００８８】
図１０（Ｃ）に示す画像Ｍ２２及びＭ２３は、Ｌ／Ｒ画像分離部３１２により分離された画像の一例である。ここで画像Ｍ２２は左目用画像Ｍ３１及び画像Ｍ５２を含み、画像Ｍ２３は右目用画像Ｍ４１及び画像Ｍ５３を含む。そして第２切り取り部３１３は、当該画像Ｍ２２から左目用画像Ｍ３１を、画像Ｍ２３から右目用画像Ｍ４１を切り取る。
【００８９】
ここで第２切り取り部３１３は、再生制御部１０５からの指示に基づいたサイズ（解像度）及び位置で、画像Ｍ２２から左目用画像を、画像Ｍ２３から右目用画像を切り取る。第２切り取り部３１３は、再生制御部１０５から、例えば画像の切り取りサイズを、第１切り取り部３１１に入力されたフレームに含まれた元々の画像である左目用画像Ｍ３及び右目用画像Ｍ４のサイズに対応させる指示を受けている場合、Ｎ２に沿って左目用画像を、Ｎ３に沿って右目用画像を切り取る。
【００９０】
なお第２切り取り部３１３は、再生制御部１０５からの指示に応じて、Ｎ２及びＮ３よりも小さいサイズ（解像度）で画像を切り取ってもよい。しかしながらここで第２切り取り部３１３は、フレームＭ１の上端と切り取り線Ｎ１の上端との間の距離Ｐ１と、中心線Ｐ３と切り取り線Ｌ２の下端との間の距離Ｐ４を一致させ、また、フレームＭ１の下端と切り取り線Ｎ１の下端との間の距離Ｐ２と、中心線Ｐ３と切り取り線Ｎ２の上端との間の距離Ｐ５を一致させることが好ましい。
【００９１】
次に図１１を参照して、第２実施形態のテレビ装置３００による２次元用あるいは３次元用画像の表示に係る処理フロー例を説明する。
まず再生制御部１０５に映像データが入力されると（Ｓ８０１）、当該再生制御部１０５は、入力された映像データを第１切り取り部３１１に出力する。また、ここで再生制御部１０５は、入力された映像データが３次元用であるか否かを判別し、判別結果を第１切り取り部３１１に出力する。
【００９２】
映像データが入力されると第１切り取り部３１１は、入力された映像データのフレームから画像を切り取る（Ｓ８０２）。
またこのとき第１切り取り部３１１は、再生制御部１０５から入力された映像データの形式についての通知を再生制御部１０５から受ける。そして第１切り取り部３１１は、画像を切り取ったフレームが３次元用映像のフレームである場合であって（Ｓ８０３のＹｅｓ）、また映像データがＳｉｄｅ−ｂｙ−Ｓｉｄｅ又はＴｏｐ−ａｎｄ−Ｂｏｔｔｏｍ方式である場合（Ｓ８０４のＹｅｓ）、切り取った画像をＬ／Ｒ画像分離部３１２に出力する。
【００９３】
次にＬ／Ｒ画像分離部３１２は、入力されたフレームに含まれる画像から、左目用画像と右目用画像とを分離させる（Ｓ８０５）。そして分離された夫々の画像は、第２切り取り部３１３に出力される。
【００９４】
一方、Ｓ８０４において映像データがＳｉｄｅ−ｂｙ−Ｓｉｄｅ及びＴｏｐ−ａｎｄ−Ｂｏｔｔｏｍのどちらの方式でもない場合（Ｓ８０４のＮｏ）、例えばＦｒａｍｅ  Ｐａｃｋｉｎｇ形式による３次元用映像である場合、第１切り取り部３１１は、切り取った画像を第２切り取り部３１３に出力する。
【００９５】
画像が入力されると第２切り取り部３１３は、当該入力された画像から、再生制御部１０５からの指示に応じたサイズ（解像度）及び位置で左目用画像と右目用画像とを切り取る（Ｓ８０６）。
【００９６】
そして切り取られた左目用画像と右目用画像とは、夫々高解像度化部３１４に出力される。高解像度化部３１４は、これら画像を拡大して高解像度化し（Ｓ８０７）、表示処理部１２０に出力する（Ｓ８０８）。なおここで高解像度化部３１４は、左目用画像と右目用画像とを交互に表示処理部１２０に出力し、表示処理部１２０はこれら画像の映像信号を表示部１２１に出力する。そして表示部１２１は、交互に入力される左目用画像の映像信号と右目用画像の映像信号とに基づいた映像を表示することにより、３次元の映像を表示する。
【００９７】
一方、Ｓ８０３において、画像を切り取ったフレームが２次元用映像のフレームであった場合（Ｓ８０３のＮｏ）、第１切り取り部３１１は、切り取った画像を高解像度化部３１４に出力する。そして高解像度化部３１４は、入力された画像のサイズ（解像度）を、表示部１２１の画面サイズに対応するよう拡大して（Ｓ８０９）、拡大した画像を表示処理部１２０に出力する（Ｓ８１０）。そして表示処理部１２０は、入力された画像の映像信号を生成して表示部１２１に出力し、表示部１２１は、入力された映像信号に基づいた２次元映像を表示する。
【００９８】
第１及び第２実施形態によれば、テレビ装置は、ユーザに対して好適なサイズの映像を表示することができる。そしてテレビ装置は、フレームに含まれる左目用画像と右目用画像とを切り取って表示する際に、切り取り前の左目用画像と右目用画像との間の視差を変えることなく、切り取った左目用画像及び右目用画像を表示することができる。
【００９９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【０１００】
１００…テレビ装置、１０１…受信部、１０２…ＯＤＤ、１０３…記憶部、１０４…映像入力部、１０５…再生制御部、１０６…操作受付部、１１０…映像処理部、１１１…Ｌ／Ｒ画像分離部、１１２…切り取り部、１１３…高解像度化部、１２０…表示処理部、１２１…表示部、１２２…シャッター眼鏡制御部、１２３…制御信号送信部、２００…シャッター眼鏡、２１０…右目シャッター、２２０…左目シャッター、３００…テレビ装置、３１０…映像処理部、３１１…第１切り取り部、３１２…Ｌ／Ｒ画像分離部、３１３…第２切り取り部、３１４…高解像度化部
【図１】
2012029236.tif 000003
【図２】
2012029236.tif 000004
【図３】
2012029236.tif 000005
【図４】
2012029236.tif 000006
【図５】
2012029236.tif 000007
【図６】
2012029236.tif 000008
【図７】
2012029236.tif 000009
【図８】
2012029236.tif 000010
【図９】
2012029236.tif 000011
【図１０】
2012029236.tif 000012
【図１１】
2012029236.tif 000013